(57)【要約】【課題】初期点灯の際、要求される高い出力を簡単に提供することが可能な冷陰極蛍光ランプの駆動装置を提供する。【解決手段】冷陰極蛍光ランプ駆動装置において、該ランプ３０が消灯状態なのか点灯状態なのかに従って基準信号を提供する発振器３１のチューニングキャパシタ電流を増減させることにより、消灯時には点灯時よりインバータのスイッチング速度が速くなるようにし、要求される初期点灯電圧を満たせることができる。【選択図】図３
2007005285.tif 000002
【特許請求の範囲】
【請求項１】
チューニング抵抗とチューニングキャパシタによってＲＣ発振する発振部と、
上記発振部から出力された信号を所定分周比に分周した後、上記分周された信号のオン／オフデューティ割合を、明るさを制御するＰＷＭ制御信号に従って調節してスイッチング制御信号を生成するＰＷＭ駆動部と、
上記ＰＷＭ駆動部から出力されたスイッチング制御信号に従って交互にスイッチング動作するハーフブリッジ構造で連結された複数のスイッチング素子を含んで、入力電源を交流電源に変換するインバータ部と、
上記インバータ部から出力される交流電源をランプ駆動電源に出力する共振回路部と、
ランプに流れる電圧をフィードバック受けてランプの消灯可否を検出し、検出された消灯可否に応じて電流制御信号を出力するフィードバック回路部、及び
ランプ消灯状態ではランプ点灯状態より高いチューニングキャパシタ電流が流れるように、上記フィードバック回路部の消灯検出信号に従って上記発振部のチューニングキャパシタに流れる電流量を調整する電流制御部と、
を含む冷陰極蛍光ランプの駆動装置。
【請求項２】
上記電流制御部は
基準電圧（Ｖｒｅｆ）が入力されるバッファー３６１と、
エミッタ端が抵抗（ＲＴ）を介して接地され上記バッファー３６１の出力にベースが連結される第１トランジスタ（Ｑ１）と、
上記第１トランジスタ（Ｑ１）のコレクタにそのベースコレクタが結合する第２トランジスタ（Ｑ２）と、上記第２トランジスタ（Ｑ２）のベース及びエミッタにそれぞれのベース及びエミッタが共通で連結される第３、４トランジスタ（Ｑ３、Ｑ４）から成る電流リピータ３６２と、
上記第３トランジスタ（Ｑ３）のコレクタと接地との間にコレクタ−エミッタ結合し電流制御信号（Ｆｃ）によってオン／オフ動作する第５トランジスタ（Ｑ５）と、上記第３トランジスタ（Ｑ３）のコレクタにそのエミッタ及びベースが連結されコレクタ接地された第６トランジスタ（Ｑ６）と、上記第３トランジスタ（Ｑ３）のコレクタにそのベースが連結されコレクタ接地された第７トランジスタ（Ｑ７）から成る第１電流ミラー３６３と、
上記第４トランジスタ（Ｑ４）のコレクタに自己コレクタ及びベースが連結されエミッタ接地された第８トランジスタ（Ｑ８）と、上記第４トランジスタ（Ｑ４）のコレクタに自己ベースが連結されエミッタ接地された第９トランジスタ（Ｑ９）から成る第２電流ミラー３６４と、
上記第７、９トランジスタ（Ｑ７、Ｑ９）のコレクタに自己コレクタ及びベースが共通連結される第１０トランジスタ（Ｑ１０）と上記第１０トランジスタ（Ｑ１０）と相互ベース及びエミッタ結合し、そのコレクタが発振部のチューニングキャパシタ電流を出力する第１１トランジスタ（Ｑ１１）から成る第３電流ミラー３６５と、
を含むことを特徴とする請求項１に記載の冷陰極蛍光ランプの駆動装置。
【請求項３】
上記フィードバック回路部は
ランプに流れる電圧（ＯＶＰ）をフィードバックして受け第１基準電圧と比較する第１比較器３５１と、
上記第１比較器３５１の比較結果に従ってオン／オフスイッチングするスイッチ３５２と、
上記スイッチ３５２を介して接地に連結されるとともにキャパシタ（Ｃ）を介して接地に連結される電流源３５３と、
上記キャパシタ（Ｃ）の電圧を第２基準電圧と比較する第２比較器３５４と、
上記第２比較器３５４の出力信号をセット端（Ｓ）で入力受け、出力端（Ｑ）で電流制御信号を出力するＲＳラッチ３５５と、
を含むことを特徴とする請求項１に記載の冷陰極蛍光ランプの駆動装置。
【発明の詳細な説明】
【技術分野】
【０００１】
本発明は冷陰極蛍光ランプの駆動装置に関するものであって、さらに詳しくは初期点灯の際要求される高い出力を簡単に提供することが可能な冷陰極蛍光ランプの駆動装置に関するものである。
【背景技術】
【０００２】
冷陰極蛍光ランプ（ＣＣＦＬ：Ｃｏｌｄ  Ｃａｔｈｏｄｅ  Ｆｌｕｏｒｅｓｃｅｎｔ  Ｌａｍｐ）はガラス管の内壁に蛍光物質が塗布され、管の両端に電極が取り付けられており、管内には数十トル（Ｔｏｒｒ）の混合ガスと定量の水銀が封入されているものであって、高輝度と高演色性、２．０Ｗ〜５．０Ｗの低消費全力、定格ランプ電流で１５，０００〜６０，０００ｈｒ程度の長寿命など多くの長所があることから、ＬＣＤバックライト（Ｂａｃｋ−ｌｉｇｈｔ）の照明素子として有用に使用される。
【０００３】
このような冷陰極蛍光ランプは電源が印加されていない状態の場合、大インピーダンス特性を表し、一旦点灯になった後にはインピーダンス特性が小くなるので初期点灯の際には１３００Ｖ以上の高い電場エネルギーが必要であり、一旦点灯になった後には略８００Ｖの電場エネルギーが必要である。
【０００４】
従って、冷陰極蛍光ランプ駆動装置はランプの点灯／消灯状態に従って適切な電場エネルギーを提供するべきである。
【０００５】
図１は、従来の冷陰極蛍光ランプ駆動装置を示す回路図である。図１を参照すれば、冷陰極蛍光ランプ１０の駆動装置は、基準信号を提供する発振部１１と、上記発振部１１から出力された基準信号を所定分周比に分周し、上記分周された信号と外部から印加されたＰＷＭディミング制御信号を比較してオン／オフデューティ割合（比）が調節されたＰＷＭスイッチング制御信号を出力するＰＷＭ駆動部１２と、上記ＰＷＭ駆動部１２から出力されたスイッチング制御信号に従ってスイッチング動作して直流電源を所定周波数の交流電源に変換するインバータ部１３と、上記インバータ部１３から出力される所定周波数の交流電源をランプ１０に出力する共振回路部１４から成る。
【０００６】
上記インバータ部１３は電源入力端（Ｖｉｎ）と接地との間に直列に連結されるハーフブリッジ構造の二つのスイッチング素子（ＳＷ１、ＳＷ２）を含んでおり、上記二つのスイッチング素子（ＳＷ１、ＳＷ２）は交互にスイッチングして所定周波数の交流電源を出力する。上記インバータ部１３から出力された交流電源は共振回路部１４を通してランプ１０に印加される。なお、分周及びＴｄ発生器１２１及び論理素子１２２〜１２６は、後述する本発明に係る図３に示された分周及びＴｄ発生器３２１及び論理素子３２２〜３２６に相当するので、ここでは説明を省略する。
【０００７】
ＰＷＭ制御部１２は上記発振部１１から出力された所定周波数の基準信号を１／２に分周した後、上記分周された信号のオン／オフデューティ比をＰＷＭ制御信号（ＶＰＷＭ）に従って調整することにより、ランプ１０の明るさを調整する。
【０００８】
かかる構成の冷陰極蛍光ランプ駆動装置において、初期点灯の際要求される高い電場エネルギーは、インバータ部１３のスイッチング速度を固定した状態で、上記ＰＷＭ制御部１２を介してスイッチング素子（ＳＷ１、ＳＷ２）のオン／オフデューティ比のみを制御して具現される。
【０００９】
図２は、初期点灯の際、従来の冷陰極蛍光ランプの駆動作用を説明するタイミング図であって、（ａ）、（ｂ）はそれぞれ上記スイッチング素子（ＳＷ１、ＳＷ２）に印加されるスイッチング制御信号であり、（ｃ）は上記（ａ）、（ｂ）のようにスイッチング制御信号が印加された場合、ランプ１０に印加される出力電源波形を表す。上記図２の（ａ）、（ｂ）を参照すれば、従来ではランプの点灯が要求された場合、消灯状態のランプ１０が点灯状態に切り替えられるまでに最大デューティ比のスイッチング制御信号をインバータ１３に印加し、ランプ１０が点灯になった後には指示された明るさに従ってデューティの割合を調整する。
【００１０】
ところで、上記のようにハーフブリッジ構造のインバータ部１３を使用する場合、二つのスイッチング素子（ＳＷ１、ＳＷ２）が同時にオンになってはならないので、最大デューティ比は５０％以下になり、結局、要求される初期点灯電圧を満たすことができなくなる。なお、このように初期点灯電圧を十分高めることができないとランプ１０が明滅する等不安定な動作を現す。
【発明の開示】
【発明が解決しようとする課題】
【００１１】
従って、本発明は上述した従来の問題点を解決するために提案されたものであって、初期点灯の際要求される高い出力を簡単に提供することが可能な冷陰極蛍光ランプの駆動装置を提供するものである。
【課題を解決するための手段】
【００１２】
上述した目的を達成するための構成手段として、本発明の冷陰極蛍光ランプ駆動装置は、チューニング抵抗とチューニングキャパシタによってＲＣ発振する発振部と、上記発振部から出力された信号を所定分周比に分周した後、上記分周された信号のオン／オフデューティ割合（比）を、明るさを制御するＰＷＭ制御信号に従って調節してスイッチング制御信号を生成するＰＷＭ駆動部と、上記ＰＷＭ駆動部から出力されたスイッチング制御信号に従って交互にスイッチング動作するハーフブリッジ構造で連結される複数のスイッチング素子を含んで、入力電源を交流電源に変換するインバータ部と、上記インバータ部から出力される交流電源をランプ駆動電源に出力する共振回路部と、ランプに流れる電圧をフィードバック受けランプの消灯可否を検出し、検出された消灯可否に従って電流制御信号を出力するフィードバック回路部と、及びランプ消灯状態ではランプ点灯状態より高いチューニングキャパシタ電流が流れるように、上記フィードバック回路部の消灯検出信号に従って上記発振部のチューニングキャパシタに流れる電流量を調整する電流制御部を含んで成る。
【発明の効果】
【００１３】
本発明はランプが消灯状態の場合ハーフブリッジインバータのスイッチング速度を増加させることにより、簡単に必要なランプ初期点灯電圧を提供し、さらに、ランプを安定的に点灯させることのできる優れた効果を奏する。
【発明を実施するための最良の形態】
【００１４】
以下、添付した図面を参照して本発明による冷陰極蛍光ランプ駆動装置の構成及び作用を説明する。
【００１５】
図３は、本発明による冷陰極蛍光ランプ駆動装置の全体構成を示すブロック構成図である。
【００１６】
図３を参照すれば、本発明による冷陰極蛍光ランプ駆動装置は、チューニング抵抗とチューニングキャパシタによってＲＣ発振する発振部３１と、上記発振部３１から出力された信号を所定の分周比に分周した後、上記分周された信号と外部から印加されたＰＷＭ制御信号（ＶＰＷＭ）を論理組み合わせてオン／オフデューティ比が調節されたＰＷＭスイッチング制御信号を出力するＰＷＭ駆動部３２と、ハーフブリッジ構造から成る二つのスイッチング素子（ＳＷ１、ＳＷ２）が上記ＰＷＭ駆動部３２から出力されたスイッチング制御信号に従ってスイッチング動作して直流電源を所定の周波数の交流電源に変換するインバータ部３３と、上記インバータ部３３から出力される所定の周波数の交流電源をランプ３０に提供する共振回路部３４と、上記ランプ３０に印加された電圧をフィードバックしてランプ３０の消灯／点灯可否を検出するフィードバック回路部３５と、上記フィードバック回路部３５からランプ３０の消灯状態を表す信号が印加されれば、上記発振部３１のキャパシタ電流を増加させ、ランプ３０の点灯状態を表す信号が印加されれば、上記発振部３１のキャパシタ電流を基準値に下降させる電流制御部３６を含む。
【００１７】
発振部３１は一般的なＲＣ発振部として、発振周波数は発振部３１内に具備されたチューニング抵抗（図示せず）及びチューニングキャパシタ（図示せず）によって決まる。さらに、上記発振部３１の発振周波数はチューニングキャパシタ電流に比例して増加する。即ち、発振部３１に印加されるチューニングキャパシタ電流を増加させると、発振周波数が増加される。このようなＲＣ発振部３１の特性は一般的によく知られているものである。
【００１８】
本発明の冷陰極蛍光ランプ駆動装置は、フィードバック回路部３５及び電流制御部３６をさらに含み、上記発振部３１に印加されるバイアス電流をランプ３０の点灯可否に従って変化させることにより、発振部３１から出力される周波数を変化させ、その結果消灯状態で点灯される前までにインバータ部３３のスイッチング速度をより早くすることで、ランプ３０で初期点灯の際要求されるレベルの電場エネルギーを提供するのである。
【００１９】
ＰＷＭ駆動部３２において、分周及びＴｄ発生部３２１は、上記発振部３１から印加された周波数を１／２に分周し、ＰＷＭスイッチング制御信号を発生させるためのものであり、反転ゲ−トやアンドゲートを含む論理素子（３２２〜３２４）は、分周及びＴｄ発生部３２１から出力された基準クロックと明るさ制御信号であるＰＷＭ制御信号（ＶＰＷＭ）と論理組み合わせて、ＰＷＭスイッチング信号のオン／オフデューティ比を調節する手段であり、アンドゲート（３２５、３２６）は、ランプ３０に異常が生じた場合これを表す制御信号（Ｖｃ）と上記ＰＷＭスイッチング信号を論理組み合わせるものであって、異常状態であることを表す制御信号（例えば、論理０）が印加される場合、論理０を出力してインバータ部３３のスイッチング動作を停止させる。このようなＰＷＭ駆動部３２は既存の構成と同一なものであって、さらに多様な形態で構成され得る。なお、共振回路３４は、図１に示された従来例と同様に、トランスＴ、ダイオードＤ１、Ｄ２やキャパシタＣを備えて構成されている。
【００２０】
図４は、上記本発明による冷陰極蛍光ランプ駆動装置において、初期点灯動作を説明するタイミング図である。
【００２１】
図４において、（ａ）は上記発振部３１から出力される基準信号を表し、（ｂ）、（ｃ）は上記ＰＷＭ駆動部３２からインバータ部３３の二つのスイッチング素子（ＳＷ１、ＳＷ２）にそれぞれ印加されるスイッチング制御信号を表し、（ｄ）は共振回路部３４からランプ３０に印加される駆動電圧を表す。
【００２２】
上記図４に示すように、本発明の冷陰極蛍光ランプ駆動装置は、ランプ３０の点灯が要求されれば、発振部３１から点灯状態における周波数より高い周波数の信号を出力し、上記高い周波数の信号を基準としてＰＷＭ駆動部３２がインバータ部３３のスイッチング動作を制御する。従って、インバータ部３３のスイッチング速度が早くなりつつ、ランプ３０に印加される出力電圧のレベルが上昇する。そしてランプ３０が点灯されると、発振部３１が以前より低い周波数を出力し、ＰＷＭ駆動部３２及びインバータ部３３は上記低周波数を基準に動作し、消灯の際より遅い速度でスイッチング動作し、その結果消灯の際よりランプ３０に出力される電圧のレベルが低くなる。
【００２３】
上記点灯時の発振部３１の出力周波数は一般的な冷陰極蛍光ランプ駆動装置で設定された基準周波数であり、消灯時の発振部３１の出力周波数は上記基準周波より高周波数であって、大体点灯時の周波数を基準に、消灯時の周波数を１．５倍高く設定すると、初期点灯の際要求される電圧レベルを得ることができる。
【００２４】
次に、本発明による冷陰極蛍光ランプ駆動装置において、発振部３１の周波数を調整するためのフィードバック回路部３５及び電流制御部３６についてさらに詳細に説明する。
【００２５】
図５は、本発明による冷陰極蛍光ランプ駆動装置において、電流制御部３６の詳細回路図である。
【００２６】
図５を参照すれば、上記電流制御部３６は基準電圧（Ｖｒｅｆ）が入力されるバッファー３６１と、エミッタ端が抵抗（ＲＴ）を介して接地され上記バッファー３６１の出力にベースが連結される第１トランジスタ（Ｑ１）と、上記第１トランジスタ（Ｑ１）のコレクタにそのベース及びコレクタが共通結合する第２トランジスタ（Ｑ２）と、上記第２トランジスタ（Ｑ２）のベース及びエミッタにそれぞれのベース及びエミッタが共通連結される第３、４トランジスタ（Ｑ３、Ｑ４）から成る電流リピータ３６２と、上記第３トランジスタ（Ｑ３）のコレクタと接地との間にコレクタ‐エミッタ結合し電流制御信号（Ｆｃ）によってオン／オフ動作する第５トランジスタ（Ｑ５）と、上記第３トランジスタ（Ｑ３）のコレクタにそのエミッタ及びベースが連結され、コレクタ接地された第６トランジスタ（Ｑ６）と、上記第３トランジスタ（Ｑ３）のコレクタにそのベースが連結されコレクタ接地された第７トランジスタ（Ｑ７）から成る第１電流ミラー３６３と、上記第４トランジスタ（Ｑ４）のコレクタに自己コレクタ及びベースが連結されエミッタ接地された第８トランジスタ（Ｑ８）と上記第４トランジスタ（Ｑ４）のコレクタに自己ベースが連結されエミッタ接地された第９トランジスタ（Ｑ９）から成る第２電流ミラー３６４と、上記第７、９トランジスタ（Ｑ７、Ｑ９）のコレクタに自己コレクタ及びベースが共通連結される第１０トランジスタ（Ｑ１０）と上記第１０トランジスタ（Ｑ１０）と相互ベース及びエミッタ結合し、そのコレクタが発振部３１のチューニングキャパシタ（図示せず）で連結される第１１トランジスタ（Ｑ１１）から成る第３電流ミラー３６５で構成される。
【００２７】
上記のように構成された電流制御部３６の動作を説明すると、まず上記基準電圧（Ｖｒｅｆ）と抵抗（ＲＴ）によって電流リピータ３６２の基準電流（ＩＲＥＦ）が決まり、上記基準電流（ＩＲＥＦ）は次の数１式のようである。
【００２８】
【数１】
2007005285.tif 000003
となり、上記基準電流（ＩＲＥＦ）とほぼ等しい電流が第３トランジスタ（Ｑ３）及び第４トランジスタ（Ｑ４）のコレクタに流れるようになる。以下において、上記第３トランジスタ（Ｑ３）のコレクタ電流をスタート電流（Ｉｓｔａｒｔ）とし、第４トランジスタ（Ｑ４）のコレクタ電流をノーマル電流（Ｉｎｏｒｍａｌ）とする。
【００２９】
さらに、フィードバック回路部３５から電流制御信号（ＦＣ）に従って第１  電流ミラー３６３の動作が決まる。即ち、ランプ３０が消灯状態の場合フィードバック回路部３５から低レベルの電流制御信号（ＦＣ）が印加されれば、第５トランジスタ（Ｑ５）がオフされ、上記スタート電流（Ｉｓｔａｒｔ）は第１電流ミラー３６３の基準電流に入力された後、上記第１電流ミラー３６３によって第３電流ミラー３６に伝達される。逆に、ランプ３０が点灯状態の場合、フィードバック回路部３５から高レベルの電流制御信号（ＦＣ）が印加されれば、上記第５トランジスタ（Ｑ５）はターンオンされ上記第３トランジスタ（Ｑ３）のコレクタに流れるスタート電流（Ｉｓｔａｒｔ）を接地にバイパスさせる。従って、第１電流ミラー３６３は動作せず、その結果上記スタート電流（Ｉｓｔａｒｔ）は第３電流ミラー３６５にミラーリングされない。
【００３０】
この際、上記第２電流ミラー３６４は上記第４トランジスタ（Ｑ４）のコレクタに流れる電流（Ｉｎｏｒｍａｌ）を第３電流ミラー３６５の第１０トランジスタ（Ｑ１０）に印加する。
【００３１】
そして、上記第３電流ミラー３６５は第１０トランジスタ（Ｑ１０）に入力される電流をミラーリングして発振部３１のチューニングキャパシタ電流（ＩＣＴ）に印加する。
【００３２】
従って、上記第３電流ミラー３６５はランプ３０が点灯状態の場合にはＩｃｔ＝Ｉｎｏｒｍａｌになり、ランプ３０が消灯状態の場合にはＩｃｔ＝Ｉｎｏｒｍａｌ＋Ｉｓｔａｒｔになる。ここで、上記発振部３１の出力周波数、即ち、発振周波数はチューニングキャパシタに印加される電流ＩＣＴに比例することで、ランプ３０が消灯状態の時の発振周波数が、ランプ３０が点灯状態の場合より高くなる。
【００３３】
上記のように、発振部３１から出力される発振周波数が高くなれば、インバータ部３３のスイッチング速度が増加し、その結果共振回路部３４の出力電圧が増加する。
【００３４】
上記フィードバック回路部３５は上述した電流制御部３６の動作が行われることができるように、ランプ３０の電圧を検査し、ランプ３０が点灯状態なのか消灯状態なのかを判別し、それによる電流制御信号（Ｆｃ）を上記電流制御部３６に印加する。
【００３５】
従って、上記ランプ３０を初期点灯させる場合、ランプ３０の状態が点灯状態に切り替えられるまで上記発振部３１は高い発振周波数を出力するようになり、これにインバータ部３３のスイッチング速度が早くなってランプ３０に印加される出力電圧のレベルが初期点灯時の適正レベル（略１３００Ｖ）に上昇するようになる。そして上記高出力電圧によってランプ３０が点灯状態になってインピーダンス特性が低くなれば、フィードバック回路部３５でこれを検出して高レベルの電流制御信号（ＦＣ）を出力し、その結果上記発振部３０の発振周波数が低くなり、インバータ部３３のスイッチング速度が遅くなり、ランプ３０に印加される出力レベルが点灯状態で要求される水準（略８００Ｖ）に調整される。
【００３６】
図６は、上記フィードバック回路部３５の一例を表す回路図であって、ランプ３０の消灯／点灯状態を検出するためのフィードバック回路部３５は、上記ランプ３０に流れる電圧（ＯＶＰ）を基準電圧（例えば、２．５Ｖ）と比較する第１比較器３５１と、上記第１比較器３５１の比較結果に従って電圧（ＯＶＰ）が２．５Ｖ以上の場合ターンオンされ、２．５Ｖ以下の場合はターンオフされるスイッチ３５２と、上記スイッチ３５２を通して接地に連結されるとともに、キャパシタ（Ｃ）を介して接地に連結される電流源３５３と、上記電流源３５３とキャパシタ（Ｃ）及びスイッチ３５２の接点電圧を基準電圧（０．７Ｖ）と比較して、基準電圧より大きい場合は論理１を出力し、基準電圧より小さい場合は論理０を出力する第２比較器３５４と、上記第２比較器３５４の出力に入力端（Ｓ）が連結され出力端（Ｑ）が上記電流制御部３６の第５トランジスタ（Ｑ５）に印加されるＲＳラッチ３５５で構成される。
【００３７】
ランプ３０が消灯状態の場合、上記第１比較器３５１に入力される電圧（ＯＶＰ）は低レベル（略２．５Ｖ以下）になる。従って、上記第１比較器３５１の出力は低レベルがになり、これにスイッチ３５２がオフされ、上記電流源３５３の電流はキャパシタ（Ｃ）に印加される。上記によってキャパシタ（Ｃ）にかかる電圧が増加し、これに第２比較器３５４の出力は高レベル（論理１）になる。このように、論理１信号が入力されれば、ＲＳラッチ３５５は低レベルを出力する。即ち、電流制御部３６に印加される電流制御信号（ＦＣ）が低レベルになる。
【００３８】
逆に、ランプ３０が点灯状態の場合、上記第１比較器３５１に入力される電圧（ＯＶＰ）は基準レベル（略２．５Ｖ）以上に高くなって、その結果スイッチ３５２がターンオンされる。上記スイッチ３５２がターンオンされれば、上記電流源３５３から印加された電流は接地にバイペスされ、キャパシタ（Ｃ）にかかる電圧がほぼ０と低くなる。従って、上記第２比較器３５４は低レベル（論理０）を出力し、これによりＲＳラッチ３５５の出力は高レベルになる。即ち、電流制御部３６に印加される電流制御信号（ＦＣ）が高レベルになる。
【００３９】
上述した作用によって、フィードバック回路部３５はランプ３０の点灯／消灯状態を表す電流制御信号（ＦＣ）を電流制御部（３６）に印加する。
【００４０】
図７は、本発明による冷陰極蛍光ランプ駆動装置のシミュレーション結果を示すグラフである。
【００４１】
図７の（ａ）は本発明による冷陰極蛍光ランプ駆動装置の初期点灯の際、フィードバック回路部３５から電流制御部３６に印加される電流制御信号（ＦＣ）を示すものであって、ランプ３０が点灯になっていないと低レベルであり、ランプ３０が点灯された後には高レベルが出力されることが判る。
【００４２】
図７の（ｂ）は、本発明による冷陰極蛍光ランプ駆動装置の初期点灯の際、発振部３１から出力された周波数信号を示すものであって、消灯状態における周波数が点灯状態における周波数より高いことが判る。
【００４３】
図７の（ｃ）、（ｄ）は、本発明による冷陰極蛍光ランプ駆動装置において、インバータ部３３のスイッチング素子（ＳＷ１、ＳＷ２）に印加されるスイッチ制御信号をそれぞれ表すものであって、点灯要求時点からパルス形態のスイッチング制御信号が出力されるが、点灯状態になる前までのパルス周期が点灯状態になった後のパルス周期より速いことが判る。上記パルスの周期はスイッチング速度に対応される。
【００４４】
以上のシミュレーショングラフを通じて、上述した冷陰極蛍光ランプ駆動装置の作用を理解することができる。
【図面の簡単な説明】
【００４５】
【図１】従来の冷陰極蛍光ランプ駆動装置を示す回路図である。
【図２】従来の冷陰極蛍光ランプ駆動装置の動作タイミング図である。
【図３】本発明による冷陰極蛍光ランプ駆動装置を示すブロック図である。
【図４】本発明による冷陰極蛍光ランプ駆動装置の動作タイミング図である。
【図５】本発明による冷陰極蛍光ランプ駆動装置において電流制御部の詳細回路図である。
【図６】本発明による冷陰極蛍光ランプ駆動装置においてフィードバック回路部の詳細回路図である。
【図７】本発明による冷陰極蛍光ランプ駆動装置のシミュレーション結果を示すグラフである。
【符号の説明】
【００４６】
３０      冷陰極蛍光ランプ            ３１    発振部
３２      ＰＷＭ駆動部                ３３    インバータ部
３４      共振回路部                  ３５    フィードバック回路部
３６      電流制御部
【図１】
2007005285.tif 000004
【図２】
2007005285.tif 000005
【図３】
2007005285.tif 000006
【図４】
2007005285.tif 000007
【図５】
2007005285.tif 000008
【図６】
2007005285.tif 000009
【図７】
2007005285.tif 000010